(57)【要約】【課題】ケーシング本体と蓋体とを相互に接合してケーシング内部を水密に保つためにはケーシング本体と蓋体との接合部分に発熱線を挟み、この発熱線を発熱させてケーシング本体および蓋体の接合部分を溶融させる。ところが、ケーシング本体や蓋体よりも発熱線の方が加熱による線膨張量が大きいので長尺部６１が長いと発熱線がケーシングを内側から突き破るおそれが生じる。【解決手段】長尺部６１の略中央部に偏平な逃がし部６２を形成して、長尺部６１が伸びてもこの逃がし部６２が変形して長尺部６１の膨張量を逃がすようにした。【選択図】  図３
2005319597.tif 000002
【特許請求の範囲】
【請求項１】
ケーシング本体と蓋体とを発熱線を挟んで全周で合わせた状態で発熱線に通電し、ケーシング本体と蓋体との接合部分を相互に溶融させて接合したケーシングの防水構造において、上記発熱線のうち、略直線状に形成された長尺部の略中央部分に、発熱線の一部を偏平に変形させた逃がし部を設け、長尺部の発熱時における線膨張分をこの逃がし部で逃がし、長尺部全体での線膨張量を減少させることを特徴とするケーシングの防水構造。
【請求項２】
ケーシング本体と蓋体とを発熱線を挟んで全周で合わせた状態で発熱線に通電し、ケーシング本体と蓋体との接合部分を相互に溶融させて接合したケーシングの防水構造において、上記発熱線のうち、略直線状に形成された長尺部の略中央部分に、発熱線の一部を連続した波状に変形させた逃がし部を設け、長尺部の発熱時における線膨張分をこの逃がし部で逃がし、長尺部全体での線膨張量を減少させることを特徴とするケーシングの防水構造。
【請求項３】
ケーシング本体と蓋体とを発熱線を挟んで全周で合わせた状態で発熱線に通電し、ケーシング本体と蓋体との接合部分を相互に溶融させて接合したケーシングの防水構造において、上記発熱線のうち、略直線状に形成された長尺部の両端のうちの少なくとも一方に、この長尺部の発熱時における線膨張分を長尺部の軸線方向から逃がす逃がし部を設けたことを特徴とするケーシングの防水構造。
【請求項４】
上記発熱線はケーシング本体もしくは蓋体の内周に形成された環状の溝内に収納され、上記長尺部の膨張時に、長尺部の軸線上から偏位した位置で溝の内壁に当接する支点部を設け、この支点部と長尺部の端部とを連結する部分を逃がし部としたことを特徴とする請求項３に記載のケーシングの防水構造。
【発明の詳細な説明】
【技術分野】
【０００１】
本発明は、浴室に取り付けられる風呂テレビなど、水のかかりやすい場所に設置される電子装置のケーシングの防水構造に関する。
【背景技術】
【０００２】
電子部品を収納するケーシングをケーシング本体とこのケーシング本体に接合される蓋体とで構成する場合、ケーシング本体と蓋体との接合面に予め発熱線を挟んでケーシング本体と蓋体とを水密に接合する構造が知られている（例えば、特許文献１参照）。
【０００３】
このような従来の構造では、発熱線を挟んだ状態で蓋体とケーシング本体とを相互に押接させ、その状態で発熱線に対して外部から通電し、発熱線を発熱させる。すると、ケーシング本体および蓋体の発熱線に接触している部分が溶融し、相互に接着する。ケーシング本体と蓋体とを相互に押圧した状態のまま通電を停止し、溶融した部分を冷却して固化させるとケーシングと蓋体とは発熱線に沿って強固に接合される。
【特許文献１】特許第３０５３７８６号公報（図２）
【発明の開示】
【発明が解決しようとする課題】
【０００４】
ケーシングが大型化した場合、特にケーシングの形状が矩形であると、上記従来のケーシングの防水構造では、発熱線の一部に略直線状の長尺部が形成される。一方、線膨張係数はケーシング本体や蓋体を形成している樹脂よりも発熱線を形成している金属の方が大きい。
【０００５】
従って、大型化した矩形状のケーシング本体と蓋体とを接合する際に、発熱線に通電して発熱線の温度を上昇させるとケーシング本体や蓋体よりも発熱線が伸び、ケーシング本体や蓋体に発熱線の長尺部の両端が食い込む場合が生じる。発熱線の伸びが大きすぎると、ケーシング本体や蓋体を内側から突き破って発熱線が外部に露出するおそれが生じる。
【０００６】
そこで本発明は、上記の問題点に鑑み、たとえケーシングが大型のものであっても、発熱線が外部に露出するおそれのないケーシングの防水構造を提供することを課題とする。
【課題を解決するための手段】
【０００７】
上記課題を解決するために本発明によるケーシングの防水構造は、ケーシング本体と蓋体とを発熱線を挟んで全周で合わせた状態で発熱線に通電し、ケーシング本体と蓋体との接合部分を相互に溶融させて接合したケーシングの防水構造において、上記発熱線のうち、略直線状に形成された長尺部の略中央部分に、発熱線の一部を偏平に変形させた逃がし部を設け、長尺部の発熱時における線膨張分をこの逃がし部で逃がし、長尺部全体での線膨張量を減少させることを特徴とする。
【０００８】
また、上記課題を解決するために本発明による他のケーシングの防水構造は、ケーシング本体と蓋体とを発熱線を挟んで全周で合わせた状態で発熱線に通電し、ケーシング本体と蓋体との接合部分を相互に溶融させて接合したケーシングの防水構造において、上記発熱線のうち、略直線状に形成された長尺部の略中央部分に、発熱線の一部を連続した波状に変形させた逃がし部を設け、長尺部の発熱時における線膨張分をこの逃がし部で逃がし、長尺部全体での線膨張量を減少させることを特徴とする。
【０００９】
発熱線に通電し長尺部が伸びても、上記逃がし部を設けているので、長尺部の伸びはこの逃がし部で逃がされ、ケーシング本体や蓋体に長尺部の両端部分が食い込むという不具合が防止される。
【００１０】
また、上記課題を解決するために本発明による更に他のケーシングの防水構造は、ケーシング本体と蓋体とを発熱線を挟んで全周で合わせた状態で発熱線に通電し、ケーシング本体と蓋体との接合部分を相互に溶融させて接合したケーシングの防水構造において、上記発熱線のうち、略直線状に形成された長尺部の両端のうちの少なくとも一方に、この長尺部の発熱時における線膨張分を長尺部の軸線方向から逃がす逃がし部を設けたことを特徴とする。
【００１１】
長尺部の線膨張分を逃がす逃がし部は長尺部の端部に設けてもよい。
【００１２】
例えば、上記発熱線はケーシング本体もしくは蓋体の内周に形成された環状の溝内に収納され、上記長尺部の膨張時に、長尺部の軸線上から偏位した位置で溝の内壁に当接する支点部を設け、この支点部と長尺部の端部とを連結する部分を逃がし部としてもよい。
【００１３】
このように構成すると、長尺部が伸びた場合に、支点部が最初にケーシング本体もしくは蓋体に当接する。さらに長尺部が伸びると支点と長尺部の端部との連結部分が変形する。この変形によって長尺部の線膨張分が逃がされ、長尺部の端部がケーシング本体や蓋体に食い込むことが防止される。
【発明の効果】
【００１４】
以上の説明から明らかなように、本発明は、ケーシング本体と蓋体との間に発熱線を挟んでケーシング本体と蓋体とを相互に接合させるケーシングの防水構造であって、長尺部の略中央部分や端部に、長尺部の軸線方向の膨張を逃がす逃がし部を設けたので、発熱線の長尺部の長さが長くても、発熱線がケーシング本体もしくは蓋体を突き破って外部に露出するという不具合を防止することができる。
【発明を実施するための最良の形態】
【００１５】
図１を参照して、１は浴室用のテレビであり、浴室の壁面ＢＷに固定されている。浴槽ＢＴ内の湯水やシャワーから噴出する湯水がテレビ１にかかり、また、高湿度のため水滴がテレビ１に付着する。そのため、テレビ１のケーシングは内部に湯水や湿気が侵入しないように防水構造を採用する必要がある。
【００１６】
図２に示すように、テレビ１は、ケーシング本体２内に基板４を格納した状態で、蓋体３をケーシング本体２に対して溶着している。なお、蓋体３には下面に凸部３１が環状に形成されており、その環状の凸部３１がケーシング本体２に形成された環状の溝２１に差し込まれるように形成されている。
【００１７】
蓋体３には各種スイッチ類３２が防水された状態で取り付けられている。また、３３はスピーカの取り付け部であり、防水構造のスピーカを取り付けることにより取り付け部３３からケーシング本体２内へと湯水が侵入することはない。なお、各種スイッチ類３２とスピーカとはフィルム状のケーブル４２を介して基板４に接続されている。４１は電源やアンテナ線がまとめられたケーブルである。
【００１８】
そして、蓋体３をケーシング本体２に対して溶着した後、ねじ止め穴２２にねじを差し込んで、ケーシング本体２と蓋体３とからなるケーシングを上記壁面ＢＷに固定する。なお、５はカバーであり、ケーシングを壁面ＢＷに固定した後、ケーシングに前方からはめ付ける。
【００１９】
図３に示すように、ケーシング本体２の溝２１はケーシング本体２の外形に沿って環状に形成されている。ただし、取り付け穴２２に隣接して設けられた貫通穴７を迂回して、貫通穴７及び取り付け穴２２が溝２１の外側に位置させる迂回部２３が形成されている。そして、迂回部２３から貫通穴７に連なる連通部２４を形成した。なお、ケーシング本体２及び蓋体３は共に熱可塑性の樹脂で形成されており、２３ａは固化時の収縮による「引け」の発生を防止するための肉抜きであり、ケーシング本体２の底部に対して貫通していない。
【００２０】
貫通穴７は図３に示す状態で左右対称の位置に各々形成されている。そして、図３に示す門型の発熱線６を溝２１内に装着する。各発熱線６の長尺部６１は図３に示すように、略直線状に成形されている。一方、溝２１は図示のように外側に向かって若干湾曲している。
【００２１】
従って、両発熱線６を溝２１内に装着すると、長尺部６１は図３の２点鎖線で示す状態に若干ではあるが湾曲する。発熱線６は弾性を有しているので、２点鎖線に示す状態に湾曲すると直線状態に戻ろうとする付勢力が生じ、この付勢力により発熱線６は溝２１の内壁に接触し、溝２１から浮き上がらず外に脱落しない。
【００２２】
また、両発熱線６の両先端６０が各々貫通穴７に到達するように、各発熱線６の長さを設定している。なお、発熱線６の端部は迂回部２３の形状に合わせて屈曲されている。
【００２３】
両発熱線６の両先端６０が貫通穴７に到達しているので、蓋体３の凸部３１を溝２１にはめ込んだ状態で貫通穴７に電極を挿入すると、電極は先端６０に接触する。両貫通穴７に各々電極を挿入し両発熱線６に通電すると、両発熱線６は発熱して溝２１の底部周辺及び凸部３１の先端を溶融する。その溶融した状態で蓋体３をケーシング本体２に押し付けると、蓋体３がケーシング本体２に対して相対移動して溶融部分が密着する。その後通電を停止し冷却すれば溶融部分が固化し、溝２１と凸部３１とが相互に固着する。
【００２４】
上述のように、溝２１は環状に形成されているので、ケーシングの全周にわたって溶着される。また、貫通穴７はこの環状の溶着部の外側に位置するので、電極を貫通穴７から抜き去った後に、貫通穴７に湯水が侵入してもその湯水がケーシング内に侵入することはない。
【００２５】
ここで、本実施の形態では長尺部６１の略中央部に偏平形状の逃がし部６２を形成すると共に、溝２１にこの逃がし部６２が嵌る広幅部２１ａを形成した。逃がし部６２は長尺部６１の一部を単に偏平にしただけではなく、更に波状部６３を連続して設けて波状に整形した。
【００２６】
上述のように電極から発熱線６に通電すると発熱線６は高温に発熱し、軸線方向に線膨張する。発熱線６の膨張量はケーシング本体２や蓋体３よりも大きいので、長尺部６１の両端は溝２１の内壁に当接する。長尺部６１はさらに伸びようとするが、長尺部６１の両端が溝２１の内壁によって拘束されるので、逃がし部６２が変形して長尺部６１がそれ以上伸びてもその軸線方向の伸びはこの逃がし部６２で逃がされる。
【００２７】
上述の各実施に形態では、逃がし部を長尺部６１の略中央部に形成したが、図５に示すように、長尺部６１の両端の少なくとも一方に設けてもよい。この図５に示すものでは、長尺部６１の軸線上から偏位した位置に支点６４ａを形成し、この支点６４ａと長尺部６１の端部との間を連結する部分を逃がし部６４とした。
【００２８】
このように構成すると、長尺部６１が膨張して長尺部６１の端部が図において左方向へ移動すると、最初に支点６４ａが溝２１の内壁に当接する。さらに長尺部６１が伸びようとすると、支点６４ａを中心として逃がし部６４が左方向に起きあがり、溝２１内に形成した逃げ部２１ｂを移動する。この逃がし部６４の移動によって長尺部６１の軸線方向の伸びが逃がされ、長尺部６１の端部が溝２１の内壁を突き破ることが防止される。
【００２９】
なお、逃がし部６４は図５に示した形状に限定されるものではなく、例えば図６に示すように支点６４ａから内側へ湾曲した逃がし部６４を設けてもよい。
【００３０】
なお、本発明は上記した形態に限定されるものではなく、本発明の要旨を逸脱しない範囲内において種々の変更を加えてもかまわない。
【図面の簡単な説明】
【００３１】
【図１】本発明の一実施の形態の構成を示す図
【図２】ケーシング本体と蓋体との関係を示す図
【図３】発熱線と溝との関係を示す図
【図４】逃がし部の形態を示す図
【図５】逃がし部を端部に設けた状態を示す図
【図６】逃がし部を端部に設けた他の状態を示す図
【符号の説明】
【００３２】
１  テレビ
２  ケーシング本体
３  蓋体
６  発熱線
２１  溝
６１  長尺部
６２  逃がし部
６４  逃がし部
６４ａ  支点
ＢＴ  浴槽
ＢＷ  壁面
【図１】
2005319597.tif 000003
【図２】
2005319597.tif 000004
【図３】
2005319597.tif 000005
【図４】
2005319597.tif 000006
【図５】
2005319597.tif 000007
【図６】
2005319597.tif 000008